(57)【要約】【課題】玄関ドアを、ユーザの注文に応じてセミ・カスタマイズすることができること。【解決手段】矩形状の開口部を形成する玄関ドア枠に、その吊元端部が枢着され、一方、開閉可能な自由端部に錠前を備えた玄関ドアに於いて、該玄関ドアは自由端部に上下方向に縦長切欠開口を有するドアパネルと、このドアパネルの縦長切欠開口の上下方向に一体的に連続するように組み込まれかつドアパネルと縦框部材との間にサンドイッチ状態に挟持されるドアユニットとから成り、このドアユニットは、少なくとも錠前を含む錠前ユニットと、採光窓ユニットと、採風窓ユニット等の中の二つ以上であり、かつ、組み込まれた前記各ユニットは、その後、縦框部材をドアパネルから取り外し、使用者の好みに応じて同種類又は異なる機能有する錠前ユニット・採光窓ユニット・採風窓ユニットに交換可能である玄関ドア。【選択図】図４
2011236596.tif 000002
【特許請求の範囲】
【請求項１】
矩形状の開口部を形成する玄関ドア枠に、その吊元端部が枢着され、一方、開閉可能な自由端部に錠前を備えた玄関ドアに於いて、該玄関ドアは、前記自由端部に上下方向に縦長切欠開口を有するドアパネルと、このドアパネルの前記縦長切欠開口の上下方向に直接又は間接的に連続するように組み込まれ、かつ、前記ドアパネルと前記錠前用の開口を有する縦框部材との間にサンドイッチ状態に挟持されるドアユニットとから成り、このドアユニットは、少なくとも錠前ユニットと、採光窓ユニットと、採風窓ユニットと、ドアストッパーユニット等の中の二つ以上であり、かつ、組み込まれた前記各ユニットは、前記縦框部材を前記ドアパネルから取り外し、使用者の好みに応じて同種類の又は異なる機能有する前記各ユニットから選択的に交換可能であることを特徴とする玄関ドア。
【請求項２】
請求項１に於いて、縦框部材は、固定手段を介してドアパネルの自由端部に取り外し可能に固定されていることを特徴とする玄関ドア。
【請求項３】
請求項１に於いて、錠前ユニットは、中央部箱と、該中央部箱の内部に組み込まれた或いは組み込むことが可能な錠前と、該中央部箱に設けられた或いは装着可能な内外のハンドルとから構成されていることを特徴とする玄関ドア。
【発明の詳細な説明】
【技術分野】
【０００１】
本発明は、建具の玄関ドアに関し、特に、ドアの先端部に組み込まれるユニットを交換することができる仕様変更型の玄関ドアに関する。
【背景技術】
【０００２】
特許文献１には、「ドア本体１と、該ドア本体の先端部と後端部に係合部（突起２ａ）・被係合部（係合溝５）を介して一体的に結合する前後の縦框４、４とから成る木製ドア」が開示されている。この木製ドアは、上下の横框を用いないで、前後の縦框４、４の全長をドア本体のそれとそれぞれ同一にして、ガラス製のような面板を備えたドア本体と前後の縦框４、４とを結合して、その意匠の自由度を高めることを目的とする。なお、特許文献１の図１、図６等には、縦框４の縦方向の端面に筋状の係合溝５を形成し、一方、ドア本体１の差込み部分２に複数個の突起状の差込み部２ａを形成し、これらの差込み部２ａを前記筋状の係合溝５に嵌め込む事項が開示されている。
【０００３】
この特許文献１の木製ドアは、前後の縦框４、４にサンドイッチ状に挟持されるドア本体１を各種デザインのものと組み合わせることができるという利点を有するものの、ユーザの好みに対応して「ドアをセミ・カスタマイズすること」、換言すると、ユーザの注文に応じてドア本体の戸先部に設けられる錠前を含む錠前ユニット、それ以外の機能を持ったユニットを組み合わせてドア機能の仕様変更をすることができるドアではない。
【０００４】
特許文献２の第５図（ａ）、（ｂ）、（ｃ）には、「コ字形状框１と、このコ字形状框１内に係合部・被係合部を介して一体的に結合する任意のドアパネル２Ａと、このドアパネル２Ａと前記コ字形状框１に係合する縦框４との間に組み込まれるガラリ部６と、該ガラリ部の外周に嵌め込まれる矩形状の外周モール３とか成る建物用扉」が開示されている。この特許文献２の建物用扉は、部屋の模様替えに応じて前記ドアパネル２Ａの仕様を変更することができるという利点を有するものの、特許文献１と同様に、錠前を含むニユットを組み合わせてドア機能の仕様変更をするものではない。
【０００５】
さらに、特許文献３には、「鏡板（ドアパネル）１１と、該鏡板の四辺を取り囲む上下・左右の框とから成る框組みドア」が開示されている。この特許文献３の框組みドアは、建具の各種寸法の間口に対応することができる框組みドアを製造することができるものの、この特許文献３も、ユーザの好みに対応して「ドアをセミ・カスタマイズすること」はできなかった。なお、符号は各特許文献のものをそれぞれ援用する。
【先行技術文献】
【特許文献】
【０００６】
【特許文献１】特開平６−７３９５７号公報
【特許文献２】特公平７−７４５６９号公報の第５図
【特許文献３】特開平９−４１８２５号公報
【発明の概要】
【発明が解決しようとする課題】
【０００７】
本願発明の所期の目的は、ドア、特に、玄関ドアを、ユーザの注文に応じてセミ・カスタマイズすることができることである。第２の目的は、複数個の各ユニットをドアパネルの縦長切欠開口に簡単に組み込むこと又は簡単に交換可能であることである。第３の目的は、ドアの戸先部に上下方向に沿って一連に組み込んだ複数個のユニットが、ドアの開閉方向からの力により、バラバラに成らないようにすることである。つまり、戸先部の各ユニットを強固に結合することである。
【課題を解決するための手段】
【０００８】
本発明の玄関ドアは、矩形状の開口部を形成する玄関ドア枠に、その吊元端部が枢着され、一方、開閉可能な自由端部に錠前を備えた玄関ドアに於いて、該玄関ドアは、前記自由端部に上下方向に縦長切欠開口を有するドアパネルと、このドアパネルの前記縦長切欠開口の上下方向に直接又は間接的に連続するように組み込まれ、かつ、前記ドアパネルと前記錠前用の開口を有する縦框部材との間にサンドイッチ状態に挟持されるドアユニットとから成り、このドアユニットは、少なくとも錠前ユニットと、採光窓ユニットと、採風窓ユニットと、ドアストッパーユニットと、傘・郵便物・新聞などを収納する収納箱ユニット等の中の二つ以上であり、かつ、組み込まれた前記各ユニットは、前記縦框部材を前記ドアパネルから取り外し、使用者の好みに応じて同種類の又は異なる機能有する前記各ユニットから選択的に交換可能であることを特徴とする。
【０００９】
上記構成に於いて、縦框部材は、固定手段を介してドアパネルの自由端部に取り外し可能に固定されていることを特徴とする。縦框部材の具体的形状は特に問わないが、長板状態であり、その中央部（中央部寄りの部位も含む）に、少なくとも錠前のラッチと共に、単数又は複数固のデッドボルトが突出する錠前用の開口を有することが必要である。
【００１０】
さらに、錠前ユニットは、中央部箱と、該中央部箱の内部に組み込まれた或いは組み込むことが可能な錠前と、該中央部箱に設けられた或いは装着可能な内外のハンドルとから構成されていることを特徴とする。錠前は、予め中央部箱の内部に組み込まれた状態で縦長切欠開口に組み込まれても良く、また、縦長切欠開口に中央部箱を組み込んだ後に、該中央部箱に縦框部材の錠前用の開口を介して組み込んでも良い。
【００１１】
錠前用の開口は、ドアがツインロックである場合には、それに対応するように上下方向に所要量の長さを有する長孔開口であっても良い。また、内外のハンドルは、前記中央部箱の外面にそれぞれ一体成形されていても良く、また、中央部箱とは別個独立の部材であり、普通一般の内外のハンドルと同様にハンドル用の内外の台座、内外の台座を一体的に連結する連結手段から成るものであっても良い。
【００１２】
ここで、「………収納箱ユニット等」の「等」とは、例えば錠前が電気錠の場合には、電気錠仕様に適合する通電端子を備えた端子ユニット、検知手段・送受信手段を備えた送受信ユニット、電気錠の制御信号によって装置を構成する部材が連動する部材連動型ユニットなどが含まれ、また、錠前が普通一般に使用されている本締錠である場合には、縦長切欠開口の残存する空間を埋めるための空間埋設ユニットも含まれる。さらに、ドアストッパーユニットや収納箱ユニットに類するユニットも含まれる。なお、採光窓ユニットと、採風窓ユニット等の各用語は、当業者の立場から解釈される。
【発明の効果】
【００１３】
（ａ）玄関ドアを、販売前並びに販売後にユーザの注文に応じてセミ・カスタマイズすることができる
（ｂ）ドアパネルの縦長切欠開口に上下方向に一体的に連続するように組み込まれた複数個のユニットは、ドアパネルと縦框部材との間にサンドイッチ状態に挟持されるので、ドアの開閉方向からの力により、簡単にバラバラに成らない。
（ｃ）請求項２に記載の発明は、使用者の好みに応じて同種類又は異なる機能有する錠前ユニット・採光窓ユニット・採風窓ユニット等に簡単に交換可能である。
（ｄ）請求項３に記載の発明は、錠前を含む錠前ユニットは、中央部箱と、該中央部箱の内部に組み込まれた錠前と、該中央部箱に装着される内外のハンドルとから構成されているので、部品管理・品質管理・運搬等が楽である。
【図面の簡単な説明】
【００１４】
【図１】本発明の環境状態を示す正面視からの説明図。
【図２】図１に於いて、玄関ドアを示す説明図。
【図３】図２に於いて、玄関ドアの分解説明図。
【図４】主要部の分解斜視図。
【図５】図４の５−５線縦断面図。
【図６】要部（各ユニット）を係合した斜視図。
【図７】要部を係合した状態でドアパネルの縦長切欠開口に嵌め込んだ斜視図。
【図８】縦框部材をドアパネルに嵌め込みかつ固着手段で固定した説明図。
【図９】図６の９−９線縦断面図（ユニットの係合構造の一例を示す）。
【図１０】錠前ユニットの平面視からの説明図。
【図１１】錠前ユニットの種類を示す概略説明図。
【図１２】採光窓ユニットの種類を示す概略説明図。
【図１３】採風窓ユニットの種類を示す概略説明図。
【図１４】ドアストッパーユニットの種類を示す概略説明図。
【図１５】要部の設計変更例を示す概略説明図。
【図１６】錠前ユニットの他の例を示す概略説明図。
【発明を実施するための最良の形態】
【００１５】
（１）環境部材
図１は本発明の環境状態を示す正面視からの説明図、図２は玄関ドアを示す説明図である。これらの図に於いて、１は建具としての玄関用ドア枠、２は玄関の矩形状の開口部、３は玄関ドア、４は床面である。周知のように、玄関ドア３の吊元端部３ａは複数個の蝶番５を介してドア枠１に枢着されている。一方、玄関ドア３の自由端部３ｂの略中央部（中央部寄りの部位も含む）には、錠前６及び中央部箱（ハンドル取付け座を有しても良い）７を介してハンドル８が適宜に設けられている。また、前記中央部箱７を介して前記錠前６を構成するシリンダ錠９が設けられている。ハンドル８を操作すると錠前６の不番のラッチが可動し、また、図示しない合鍵でもって前記シリンダ錠９の内筒を所定方向に所定角度回すと、デッドボルト１０が進退動する。なお、玄関ドア３には、図示しないサムターン装置が組み込まれ、そのサムターン摘みは玄関ドア３の背面に突出している。
【００１６】
本発明の玄関ドア３は、矩形状の開口部２を形成する玄関ドア枠１に、その吊元端部（取付け基端部）３ａが枢着され、一方、開閉可能な自由端部に錠前を備えた玄関ドアを前提とする。
【００１７】
（２）本発明の主要部
図３は主要部の正面視における分解説明図、図４は主要部の分解斜視図である。これらの図に於いて、まず、１１はドアパネルで、このドアパネルの先端部には縦長切欠開口１２が形成されている。この縦長切欠開口１２は、本実施例では、図３で示すように正面視コ字形状に形成されているので、図面左側の上下の自由端部３ｂ、３ｂは互いに対向状態に突出している。１３は上下の自由端部３ｂ、３ｂの対向内壁面にそれぞれ形成された水平係合溝で、これらの水平係合溝１３、１３には、後述の採光窓ユニット（上部ユニット）２４の上端凸部と採風窓ユニット（下部ユニット）２５の下端凸部がそれぞれスライド係合する。また、１４は前記水平係合溝１３、１３に直交するようにドアパネルの１１の縦切欠端面に形成された垂直係合溝で、この垂直係合溝１４は、切欠端面の上端から下端に至るまで一連（全長）に亘って形成されている。この垂直係合溝１４には、前記採光窓ユニット２４の後端凸部、後述の錠前を含む錠前ユニット２３の後端凸部及び前記採風窓ユニット２５の後端凸部がそれぞれ係合する。
【００１８】
ところで、前記垂直係合溝１４並びに前記各ユニットの所要箇所に固着具用の取り付け穴をそれぞれ形成しても良いが、本実施例では、前記上下の自由端部３ｂ、３ｂに水平方向に固着具用の取り付け穴１５，１５を形成している。
【００１９】
次に、２１はドアパネル１１の縦長切欠開口１２の上下方向に一体的に連続するように組み込まれ、かつ、ドアパネル１１と縦框部材２２との間にサンドイッチ状態に挟持されるドアユニットである。ドアユニット２１は、玄関ドア３の機能を考慮して、本実施例では、少なくとも錠前６を含む錠前ユニット２３と、玄関の光を取り入れることができる採光窓ユニット２４と、ルーバー或いはパネルを通風させることで室内外の差圧を解消させることができる採風窓ユニット２５等の中の二つ以上である。
【００２０】
付言すると、ユーザに対する販売前、又はユーザの使用後に、ユーザの好みの条件（注文）に対応して、ドアパネル１１をそのままにし、例えば錠前６を含む錠前ユニット２３、採光窓ユニット２４、採風窓ユニット２５等の全部又は一部を交換することができる。これらの各ユニット２３、２４、２５の種類や機能については実施例の欄で説明する。
【００２１】
図７は、ドアパネル１１の縦長切欠開口１２内に下方から順番に上下方向の係合手段（凹部と凸部）２６を介して採風窓ユニット２５と、錠前６を含む錠前ユニット２３と、それに採光窓ユニット２４が一体的に結合した状態で組み込まれることを示す。
【００２２】
各ユニット２５、２３、２４が、図７で示すように縦長切欠開口１２内に組み込まれると、各ユニット２５、２３、２４は互いに係合するのみならず、採風窓ユニット（下部ユニット）２５の下端凸部２６はドアパネル１１の下方自由端部３ｂの対向内壁面の水平係合溝１３に係合し、一方、採光窓ユニット（上部ユニット）２４の上端凸部２６はドアパネル１１の上方自由端部３ｂの対向内壁面の水平係合溝１３に係合する。それと同時に、各ユニット２５、２３、２４の後端部にそれぞれ突出形成した左右方向の係合手段２７は、ドアパネル１１の垂直係合溝１４にそれぞれ係合する。したがって、各ユニット２５、２３、２４は合体した状態でドアパネル１１に係合する。
【００２３】
図８は、縦長状の縦框部材２２をドアパネル１１の自由端部３ｂ、３ｂに嵌め込みかつ複数本の固定手段３０で固定した状態の説明図である。縦框部材２２は、本実施例では、平面視コ字形状に形成され、その縦方向の長さは、ドアパネル１１の全長と同一である。ドアパネル１１は、適宜箇所で複数個に分割することも出来るが、取付けの利便性を考慮して、本実施例のように１本にする。
【００２４】
しかして、ドアパネル１１の上端部と下端部には、固定手段３０用の貫通孔３１、３１がそれぞれ形成されている。また、その中央部には、ラッチ及びデッドボルト用の案内孔３２、３３がそれぞれ形成されている。
【００２５】
ところで、錠前６を含む錠前ユニット２３は、本実施例では、中央部箱７と、該中央部箱の内部に組み込まれた機械式錠前６と、内外のハンドル８、８（例えば平面視Ｌ字形状のレバーハンドル）とから構成され、前記中央部箱８の上下端面には、上述した上下方向の結合手段２６、２６が形成され、また、後端面には左右方向の結合手段２７が形成されている。さらに、内外ハンドル８、８の軸部を挿入するための軸孔、ラッチ及びデッドボルト用の開口等が適宜に形成されている。
【実施例】
【００２６】
まず、図１１は錠前６を含む錠前ユニット２３の種類を示す概略説明図である。この図に於いて、符号２３は本締錠を有する第１の錠前ユニット、符号２３Ａはプッシュプル錠を有する第２の錠前ユニット、符号２３Ｂは電気錠を有する第３の錠前ユニットである。
【００２７】
しかして、図１１（ａ）は、普通一般に「本締錠」と称される錠前である。本締錠は、機械式錠前とも言われ、操作部材としてのハンドル、該ハンドルの操作力により作動するラッチ並びにダルマ、該ダルマの駆動腕等によって進退動するデッドボルト、シリンダ錠、サムターン装置等を備えている。
【００２８】
図１１（ｂ）は、普通一般に「プッシュプル錠」と称される錠前である。プッシュプル錠は、操作部材としてのハンドルを「プッシュ」又は「プル」することによって、機械式の施・解錠機構が作動するもので、前記本締錠と同様の構成部材を備えている。なお、プッシュプル錠のハンドル８Ａは、一般的には、棒状体、板状体のものである。
【００２９】
図１１（ｃ）は、普通一般に「電気錠」と称される錠前である。電気錠は、本締錠と同様に機械的に施・解錠できると共に、電気的にも施・解錠できる。したがって、電気錠は、錠箱内に、例えば電気錠制御部、該制御部の制御信号で起動する駆動源としてのマイクロモータ、該駆動源の駆動力によって作動する伝動歯車、該伝動歯車の伝動力によって回転するダルマ、該ダルマの駆動腕等によって進退動するデッドボルト、シリンダ錠、サムターン装置等を備えている。なお、この実施例では、中央部箱７に縦方向に長板状のプッシュプル式ハンドル８Ｂが設けられている。また、テンキーと称される入力盤３５が中央部箱７の開口部に組み込まれている。もちろん、入力盤３５に関しても各種機能の入力盤に代えることができる。なお、中央部箱７には、後述するように他の機能を持たせるためのスペースが確保されている。
【００３０】
次に、図１２は採光窓ユニットの種類を示す概略説明図である。この図に於いて、符号２４は「すりガラス３６」を有する第１の採光窓ユニット、符号２４Ａは前後のガラス板３７の空間にシャター式のブラインド３８が内装されている第２の採光窓ユニット、符号２４Ｂは、特殊なガラス３９を有する第３の採光窓ユニットである。なお、前記の「特殊な」ガラス３９とは、例えば熱線吸収ガラス、熱線反射ガラス、断熱ガラス、網線を含むガラス等である。
【００３１】
図１３は採風窓ユニットの種類を示す概略説明図である。この図に於いて、符号２５は「ルーバー」と称される複数枚の固定羽根４１を有する第１の採風窓ユニット、符号２５Ａは「ルーバー」と称される複数枚の可動羽根４２を有する第２の採風窓ユニット、符号２５Ｂは錠前の解錠と連動するように構成されている解錠連動機構型羽根４３を有する第３の採風窓ユニットである。なお、連動機構（各論）は、本発明の限定要件ではないので、詳細な説明は割愛する。
【００３２】
以上、図１１乃至図１３に各ユニットの種類を示したが、もちろん、各ユニットは、これらのものに限定されない。しかしながら、念のために採風窓ユニット２５等の「等」について、簡単に説明する。
【００３３】
まず、図１４はドアストッパーユニットの例を示す。図１４の（ａ）は第１のドアストッパーユニット２８で、この第１のドアストッパーユニット２８は、上下端面に凹所又は凸部のいずれかから成る結合手段２６、２６を有するユニット本体２８ａと、このユニット本体２８ａの下端部に垂直方向に形成された凹所４５内に基端部が軸支された内蔵型の板状ドアストッパー２８ｂとから成る。
【００３４】
また、図１４の（ｂ）は第２のドアストッパーユニット２８Ａで、この第１のドアストッパーユニット２８Ａは、上下端面に凹所又は凸部のいずれかから成る結合手段２６、２６を有するユニット本体２８ａと、このユニット本体２８ａの下端部寄りの部位に基端部が軸支された露出型の棒状ドアストッパー２８ｂとから成る。
【００３５】
また、特に図示しないが、収納箱型ユニットや電気錠仕様型ユニットも用意されている。収納箱型ユニットは、ユニット本体と、該ユニット本体の内部に設けられた収納箱とから成る第１収納箱型ユニットと、ユニット本体と、該ユニット本体の外面に突出状態に設けられた収納箱とから成る第２収納箱型ユニットとを含み、前記第１収納箱型ユニットは、郵便物・新聞などを収納することができる。これに対して、前記第２収納箱型ユニットは、傘を立てたり、或いは懐中電灯を差し込むことができる。
【００３６】
さらに、電気錠仕様型ユニットは、通電端子を備えた第１の端子ユニット、検知手段・送受信手段を備えた第２の送受信ユニット、電気錠の制御信号によって装置を構成する部材が連動する第３の部材連動型ユニットが含まれる。加えて、ドアガートを主とするドアガートユニット、玄関ドアの外部にいる人を確認するためのインターホンを主とするインターホンユニットも存在する。このように各ユニットは、同種類の中にも複数個存在する。
【００３７】
また、ドアパネル１１の自由端部３ｂの開口部は、正面視コ字形状の縦長切欠開口であるが、その他、正面視逆Ｌ字形状の縦長切欠開口であっても良い。付言すると、ドアパネル１１の自由端部３ｂの開口部は、背面から見ると、Ｌ字形状の縦長切欠開口であっても良い。このような場合には、少なくとも、錠前６を含む錠前ユニット２３を基準として、採光窓ユニット２４又は採風窓ユニット２５のいずれかが、ユーザの好みに応じて選択され、かつ、前記Ｌ字形状の縦長切欠開口に組み込まれる。
【００３８】
さらに、図１５で示すように、ドアパネル１１Ａの基本的形状が略同一であるが、縦框部材２２Ａの形状を一部設計変更することにより、ドアユニット２１Ａをサンドイッチ状に挟持しても良い。この図１５から明らかなように、縦框部材２２Ａは、正面視、逆向きコ字形状に形成されている。
【００３９】
このような実施例の場合には、前記ドアユニット２１Ａが縦長切欠開口１２Ａから一部食み出した状態で縦框部材２２Ａの上下端部が複数固の固定手段３０Ａを介してドアパネル１１Ａの突出状上下端部３ｂ、３ｂに固着される。
【００４０】
繰り返しになるが、本実施例の錠前ユニット２３は、中央部箱７と、該中央部箱の内部に組み込まれた或いは組み込むことが可能な錠前６と、該中央部箱に設けられた或いは装着可能な内外のハンドル８、８とから構成されている（特徴部分）。
【００４１】
付言すると、前記錠前６は、予め中央部箱７の内部に組み込まれた状態で縦長切欠開口１２Ａに組み込まれても良く、また、縦長切欠開口１２Ａに中央部箱７を組み込んだ後に、該中央部箱に縦框部材２２の錠前用の開口（この場合には上下方向に所定長の開口が形成されている）を介して組み込んでも良い。前述したように錠前６は複数個の場合もあり得るので、いわゆるドアがツインロックである場合には、錠前用の開口は、それに対応するように上下方向に所要量の長さを有する長孔開口である。また、内外のハンドルは、前記中央部箱の外面にそれぞれ一体成形されていても良く、また、中央部箱とは別個独立の部材であり、普通一般の内外のハンドルと同様にハンドル用の内外の台座、内外の台座を一体的に連結する連結手段から成るものであっても良い。
【００４２】
ここで、念のために、図１６（ａ）、（ｂ）を参照にして、その他の錠前ユニット２３Ｃ、２３Ｄの構成を簡単に説明する。これらの錠前ユニット２３Ｃ、２３Ｄは、内外のハンドル８Ｃ、８Ｃ、８Ｄ、８Ｄが中央部箱７、７の内外の外面にそれぞれ一体成形されているものである。付言すると、内外のハンドル８Ｃ、８Ｃ、８Ｄ、８Ｄは、その形態如何を問わず、片手を掛けることができる形状に形成され、中央部箱７と別個・独立に成形されたものではない。なお、符号７ａは錠前の錠箱を組み込むための収納開口、符号７ｂは他の機能を入れるための予備空間である。
【００４３】
このように、錠前ユニットも内外のハンドルの仕様を代えることにより、色々な物が存在する。
【００４４】
以上、本発明は、矩形状の開口部２を形成する玄関ドア枠１に、その吊元端部３ａが枢着され、一方、開閉可能な自由端部３ｂに錠前６を備えた玄関ドアに於いて、該玄関ドア１は、前記自由端部３ｂに上下方向に正面視コ字形状、或いは正面視逆Ｌ字形状の縦長切欠開口１２を有するドアパネル１１と、このドアパネル１１の前記縦長切欠開口１２の上下方向に一体的に連続するように組み込まれ、かつ、前記ドアパネル１１と縦框部材２２との間にサンドイッチ状態に挟持されるドアユニット２１とから成り、このドアユニット２１は、少なくとも前記錠前６を含む錠前ユニット２３と、採光窓ユニット２４と、採風窓ユニット２５等の中の二つ以上であり、かつ、組み込まれた前記各ユニットは、その後、前記縦框部材２２を前記ドアパネル１１から取り外し、使用者の好みに応じて同種類又は異なる機能有する錠前ユニット・採光窓ユニット・採風窓ユニットに交換可能である（特徴事項）。なお、本実施形態では、合計３個のユニットを上下方向に連続するように配設したが、他の部材を介して上下方向に間接的に連続させても良い。
【産業上の利用可能性】
【００４５】
本発明は、錠前や建具の分野で利用される。
【符号の説明】
【００４６】
１…玄関用ドア枠、２…開口部、３…玄関ドア、３ａ…吊元端部、３ｂ…自由端部、６…錠前、７…中央部箱、８…ハンドル、９…シリンダ錠、１０…デッドボルト、１１、１１Ａ…ドアパネル、１２、１２Ａ…縦長切欠開口、１３…水平係合溝、１４…垂直係合溝、１５…取り付け穴、２１、２１Ａ…ドアユニット、２２、２２Ａ…縦框部材、２３…錠前ユニット、２４…採光窓ユニット、２５…採風窓ユニット、２６…上下方向の係合手段（凹部と凸部）、２７…左右方向の係合手段、２８…ドアストッパーユニット、
３０、３０Ａ…固着具。
【図１】
2011236596.tif 000003
【図２】
2011236596.tif 000004
【図３】
2011236596.tif 000005
【図４】
2011236596.tif 000006
【図５】
2011236596.tif 000007
【図６】
2011236596.tif 000008
【図７】
2011236596.tif 000009
【図８】
2011236596.tif 000010
【図９】
2011236596.tif 000011
【図１０】
2011236596.tif 000012
【図１１】
2011236596.tif 000013
【図１２】
2011236596.tif 000014
【図１３】
2011236596.tif 000015
【図１４】
2011236596.tif 000016
【図１５】
2011236596.tif 000017
【図１６】
2011236596.tif 000018